(57)【要約】【課題】  扉の開閉動作のみでストッパー板のロック操作及びロック解除操作を行えるようにした扉止め装置を提供する。【解決手段】  扉止め装置１の装置本体２は、扉５に固定して取り付けられる基枠１０と、基枠１０に回動可能に取り付けられた回動枠２０とを有する。回動枠２０には、磁石３と、磁石３によって引き寄せたストッパー板５２と係合する係合凸部４６と、ストッパー板５２に形成された開口５３に挿通可能な係止突起４７が設けられている。回動枠２０は、係合凸部４６がストッパー板５２と係合すると、係止突起４７がストッパー板５２の開口５３に挿通しない非ロック位置Ｐ１から、係止突起４７がストッパー板５２の開口５３に挿通するロック位置Ｐ２に回動する。装置本体２は、回動枠２０を非ロック位置Ｐ１とロック位置Ｐ２で係止する係止手段６が設けられている。【選択図】        図７
2012026172.tif 000002
【特許請求の範囲】
【請求項１】
開閉する扉に取り付けられ、扉が開閉して、床面に回動可能に設けられた金属製のストッパー板の上方に位置すると、ストッパー板を磁石によって引き寄せて係合し、扉の開閉を阻止する扉止め装置であって、
装置本体は、
扉に固定して取り付けられる基枠と、
基枠に回動可能に取り付けられた回動枠とを有し、
回動枠には、磁石と、磁石によって引き寄せたストッパー板と係合する係合凸部と、ストッパー板に形成された開口に挿通可能な係止突起が設けられており、
回動枠は、係合凸部がストッパー板と係合すると、係止突起がストッパー板の開口に挿通しない非ロック位置から、係止突起がストッパー板の開口に挿通するロック位置に回動するように構成され、
さらに装置本体は、回動枠を非ロック位置とロック位置で係止する係止手段が設けられていることを特徴とする扉止め装置。
【請求項２】
開閉する扉に取り付けられ、扉が開閉して、床面に回動可能に設けられた金属製のストッパー板の上方に位置すると、ストッパー板を磁石によって引き寄せて係合し、扉の開閉を阻止する扉止め装置であって、
装置本体は、
扉に固定して取り付けられる基枠と、
基枠に回動可能に取り付けられた回動枠とを有し、
基枠には、磁石が設けられ、
回動枠には、基枠に設けられた磁石によって引き寄せたストッパー板と係合する係合凸部と、ストッパー板に形成された開口に挿通可能な係止突起が設けられており、
回動枠は、係合凸部がストッパー板と係合すると、係止突起がストッパー板の開口に挿通しない非ロック位置から、係止突起がストッパー板の開口に挿通するロック位置に回動するように構成され、
さらに装置本体は、回動枠を非ロック位置とロック位置で係止する係止手段が設けられていることを特徴とする扉止め装置。
【請求項３】
前記係止手段は、回動枠を非ロック位置で係止する第１の係止部と、回動枠をロック位置で係止する第２の係止部とを有することを特徴とする請求項１又は２記載の扉止め装置。
【請求項４】
回動枠は、基枠から離間した非ロック位置から基枠に近付いたロック位置に回動するように構成され、弾性部材により、非ロック位置側に付勢されていることを特徴とする請求項１、２又は３記載の扉止め装置。
【請求項５】
基枠と回動枠の一方には案内軸が設けられ、基枠と回動枠の他方には前記案内軸を摺動可能に案内する案内溝が形成されており、
前記回動枠には、基枠に当接して係止され回動枠を非ロック位置で位置決めする前記第1の係止部が形成され、
前記案内溝には、前記案内軸を係止して回動枠をロック位置で位置決めする前記第２の係止部が形成されていることを特徴とする請求項３又は４記載の扉止め装置。
【請求項６】
基枠と回動枠の一方には案内軸が設けられ、基枠と回動枠の他方には前記案内軸を摺動可能に案内する案内溝が形成されており、
前記案内溝には、前記案内軸を係止して回動枠を非ロック位置で位置決めする前記第１の係止部と、前記案内軸を係止して回動枠をロック位置で位置決めする前記第２の係止部が形成されていることを特徴とする請求項３又は４記載の扉止め装置。
【請求項７】
回動枠には、磁石を保持する傾動枠が回動可能に設けられており、
傾動枠には、前記係合凸部と前記係止突起が形成され、さらに、回動枠に係脱自在に係止される係脱部を有し、
傾動枠は、係脱部が回動枠に係止されている時には回動枠と一体となっており、傾動枠に負荷がかかった場合、係脱部が回動枠から離脱して非ロック位置に回動するように構成されていることを特徴とする請求項１及び請求項３乃至６のいずれか1項に記載の扉止め装置。
【請求項８】
回動枠には、磁石を保持する傾動枠が回動可能に設けられており、
傾動枠には、前記係合凸部と前記係止突起が形成され、さらに、基枠に形成されたガイドに案内されるガイド軸を有し、
ガイドは、係止突起がストッパー板の開口に挿通しない非ロック位置に傾動枠のガイド軸をガイドする傾斜ガイドと、係止突起がストッパー板の開口に挿通するロック位置に傾動枠のガイド軸をガイドする主ガイドを有することを特徴とする請求項１及び請求項３乃至６のいずれか1項に記載の扉止め装置。
【請求項９】
ガイドには、ロック位置にある傾動枠に負荷がかかった場合、ガイド軸が主ガイドから外れて傾動枠を非ロック位置に回動させる解除ガイドが形成されていることを特徴とする請求項８記載の扉止め装置。
【請求項１０】
回動枠には、傾動枠が回動可能に設けられており、
傾動枠には、前記係合凸部と前記係止突起が形成され、さらに、回動枠に係脱自在に係止される係脱部を有し、
傾動枠は、係脱部が回動枠に係止されている時には回動枠と一体となっており、傾動枠に負荷がかかった場合、係脱部が回動枠から離脱して非ロック位置に回動するように構成されていることを特徴とする請求項２乃至６のいずれか1項に記載の扉止め装置。
【請求項１１】
回動枠には、傾動枠が回動可能に設けられており、
傾動枠には、前記係合凸部と前記係止突起が形成され、さらに、基枠に形成されたガイドに案内されるガイド軸を有し、
ガイドは、係止突起がストッパー板の開口に挿通しない非ロック位置に傾動枠のガイド軸をガイドする傾斜ガイドと、係止突起がストッパー板の開口に挿通するロック位置に傾動枠のガイド軸をガイドする主ガイドを有することを特徴とする請求項２乃至６のいずれか1項に記載の扉止め装置。
【請求項１２】
ガイドには、ロック位置にある傾動枠に負荷がかかった場合、ガイド軸が主ガイドから外れて傾動枠を非ロック位置に回動させる解除ガイドが形成されていることを特徴とする請求項１１記載の扉止め装置。
【発明の詳細な説明】
【技術分野】
【０００１】
本願発明は、扉を床面等に設けられた金属製のストッパー板の上方の位置まで開くと、ストッパー板を磁石により引き上げて係合させ、扉の開閉を規制させる扉止め装置に関する。
【背景技術】
【０００２】
従来の扉止め装置は、開閉する扉に取り付けられ、扉が開閉して、床面に回動可能に設けられた金属製のストッパー板の上方に位置すると、ストッパー板を磁石によって引き寄せて係合し、扉の開閉を阻止する。また、従来の扉止め装置は、ロック装置を有する。ロック装置は、操作手段と、操作手段を操作することによって、ストッパー板をロックするロック位置と、ストッパー板をロックしない非ロック位置に移動させるロック部材とからなる（例えば、特許文献１）。
【０００３】
上記した従来の扉止め装置は、扉を開くと金属製のストッパー板の上方に位置し、ストッパー板を磁石によって引き寄せて係合するので、扉の開放が規制される。しかし、この状態では、扉が閉じる方向に回動してしまうので、ロック装置の操作手段を操作してロック部材を非ロック位置からロック位置に移動させ、ロック部材をストッパー板に係止させることにより、扉の開閉を規制する。このようにして従来の扉止め装置は、扉を開いた状態でロックすることができる。さらに、従来の扉止め装置は、扉を開閉可能状態に戻すために、この扉のロック状態を解除しなければならず、そのため、ロック装置の操作手段を操作してロック部材をロック位置から非ロック位置に移動させる。
【先行技術文献】
【特許文献】
【０００４】
【特許文献１】特許第３６９９４６５号公報
【発明の概要】
【発明が解決しようとする課題】
【０００５】
上記従来の扉止め装置は、扉の開閉を規制するため、ロック装置の操作手段を操作して、ロック部材をロック位置に移動させて扉をロックし、また、扉の開閉を自由に行えるようにするため、ロック装置の操作手段を操作して、ロック部材を非ロック位置に移動させて扉のロックを解除しなければならない。このように、従来の扉止め装置は、扉を開いてストッパー板に当接したら、ロック装置の操作手段を操作してストッパー板をロックし、扉を閉じるためには、ロック装置の操作手段を操作してストッパー板のロックを解除しなければならず、扉開閉動作とロック動作が別々であるので、面倒であるという問題点があった。
【０００６】
本願発明は、上記従来の問題点に鑑み案出したものであって、扉の開閉動作のみでストッパー板のロック及びロック解除を行えるようにした、ロック操作が容易で、構造が簡単且つ安価な扉止め装置を提供することを目的とする。
【課題を解決するための手段】
【０００７】
本願請求項１記載の扉止め装置は、上記目的を達成するため、開閉する扉に取り付けられ、扉が開閉して、床面に回動可能に設けられた金属製のストッパー板の上方に位置すると、ストッパー板を磁石によって引き寄せて係合し、扉の開閉を阻止する扉止め装置であって、装置本体は、扉に固定して取り付けられる基枠と、基枠に回動可能に取り付けられた回動枠とを有し、回動枠には、磁石と、磁石によって引き寄せたストッパー板と係合する係合凸部と、ストッパー板に形成された開口に挿通可能な係止突起が設けられており、回動枠は、係合凸部がストッパー板と係合すると、係止突起がストッパー板の開口に挿通しない非ロック位置から、係止突起がストッパー板の開口に挿通するロック位置に回動するように構成され、さらに装置本体は、回動枠を非ロック位置とロック位置で係止する係止手段が設けられていることを特徴とする。
【０００８】
本願請求項２記載の扉止め装置は、上記目的を達成するため、開閉する扉に取り付けられ、扉が開閉して、床面に回動可能に設けられた金属製のストッパー板の上方に位置すると、ストッパー板を磁石によって引き寄せて係合し、扉の開閉を阻止する扉止め装置であって、装置本体は、扉に固定して取り付けられる基枠と、基枠に回動可能に取り付けられた回動枠とを有し、基枠には、磁石が設けられ、回動枠には、基枠に設けられた磁石によって引き寄せたストッパー板と係合する係合凸部と、ストッパー板に形成された開口に挿通可能な係止突起が設けられており、回動枠は、係合凸部がストッパー板と係合すると、係止突起がストッパー板の開口に挿通しない非ロック位置から、係止突起がストッパー板の開口に挿通するロック位置に回動するように構成され、さらに装置本体は、回動枠を非ロック位置とロック位置で係止する係止手段が設けられていることを特徴とする。
【０００９】
本願請求項３記載の扉止め装置は、上記目的を達成するため、前記係止手段は、回動枠を非ロック位置で係止する第１の係止部と、回動枠をロック位置で係止する第２の係止部とを有することを特徴とする。
【００１０】
本願請求項４記載の扉止め装置は、上記目的を達成するため、回動枠は、基枠から離間した非ロック位置から基枠に近付いたロック位置に回動するように構成され、弾性部材により、非ロック位置側に付勢されていることを特徴とする。
【００１１】
本願請求項５記載の扉止め装置は、上記目的を達成するため、基枠と回動枠の一方には案内軸が設けられ、基枠と回動枠の他方には前記案内軸を摺動可能に案内する案内溝が形成されており、前記回動枠には、基枠に当接して係止され回動枠を非ロック位置で位置決めする前記第1の係止部が形成され、前記案内溝には、前記案内軸を係止して回動枠をロック位置で位置決めする前記第２の係止部が形成されていることを特徴とする。
【００１２】
本願請求項６記載の扉止め装置は、上記目的を達成するため、基枠と回動枠の一方には案内軸が設けられ、基枠と回動枠の他方には前記案内軸を摺動可能に案内する案内溝が形成されており、前記案内溝には、前記案内軸を係止して回動枠を非ロック位置で位置決めする前記第１の係止部と、前記案内軸を係止して回動枠をロック位置で位置決めする前記第２の係止部が形成されていることを特徴とする。
【００１３】
本願請求項７記載の扉止め装置は、上記目的を達成するため、回動枠には、磁石を保持する傾動枠が回動可能に設けられており、傾動枠には、前記係合凸部と前記係止突起が形成され、さらに、回動枠に係脱自在に係止される係脱部を有し、傾動枠は、係脱部が回動枠に係止されている時には回動枠と一体となっており、傾動枠に負荷がかかった場合、係脱部が回動枠から離脱して非ロック位置に回動するように構成されていることを特徴とする。
【００１４】
本願請求項８記載の扉止め装置は、上記目的を達成するため、回動枠には、磁石を保持する傾動枠が回動可能に設けられており、傾動枠には、前記係合凸部と前記係止突起が形成され、さらに、基枠に形成されたガイドに案内されるガイド軸を有し、ガイドは、係止突起がストッパー板の開口に挿通しない非ロック位置に傾動枠のガイド軸をガイドする傾斜ガイドと、係止突起がストッパー板の開口に挿通するロック位置に傾動枠のガイド軸をガイドする主ガイドを有することを特徴とする。
【００１５】
本願請求項９記載の扉止め装置は、上記目的を達成するため、ガイドには、ロック位置にある傾動枠に負荷がかかった場合、ガイド軸が主ガイドから外れて傾動枠を非ロック位置に回動させる解除ガイドが形成されていることを特徴とする。
【００１６】
本願請求項１０記載の扉止め装置は、上記目的を達成するため、回動枠には、傾動枠が回動可能に設けられており、傾動枠には、前記係合凸部と前記係止突起が形成され、さらに、回動枠に係脱自在に係止される係脱部を有し、傾動枠は、係脱部が回動枠に係止されている時には回動枠と一体となっており、傾動枠に負荷がかかった場合、係脱部が回動枠から離脱して非ロック位置に回動するように構成されていることを特徴とする。
【００１７】
本願請求項１１記載の扉止め装置は、上記目的を達成するため、回動枠には、傾動枠が回動可能に設けられており、傾動枠には、前記係合凸部と前記係止突起が形成され、さらに、基枠に形成されたガイドに案内されるガイド軸を有し、ガイドは、係止突起がストッパー板の開口に挿通しない非ロック位置に傾動枠のガイド軸をガイドする傾斜ガイドと、係止突起がストッパー板の開口に挿通するロック位置に傾動枠のガイド軸をガイドする主ガイドを有することを特徴とする。
【００１８】
本願請求項１２記載の扉止め装置は、上記目的を達成するため、ガイドには、ロック位置にある傾動枠に負荷がかかった場合、ガイド軸が主ガイドから外れて傾動枠を非ロック位置に回動させる解除ガイドが形成されていることを特徴とする。
【発明の効果】
【００１９】
本願発明に係る扉止め装置は、開閉する扉に基枠が固定して取り付けられる。通常、回動枠は、係止手段によって非ロック位置で係止されており、係合凸部がストッパー板と係合可能であり、係止突起がストッパー板の開口に挿通しない位置にある。扉を閉じている状態から開くと、扉止め装置が床面に回動可能に設けられた金属製のストッパー板の上方に位置し、回動枠又は基枠に設けた磁石がストッパー板を引き寄せて、ストッパー板が係合凸部に係合する。さらに扉を開く方向に移動させると、床面に取り付けられているストッパー板が係合凸部に係合しているのでストッパー板が回動枠を押圧する形となり、回動枠が非ロック位置からロック位置に回動する。回動枠は、ロック位置に回動すると、係止突起がストッパー板の開口に挿通し、係止手段によって係止される。本願発明に係る扉止め装置は、扉を開く方向に回動させるだけで、扉を開閉不能にロックして扉の開閉を阻止することができるという効果がある。また、本願発明に係る扉止め装置は、回動枠がロック位置にある状態で、さらに扉を開く方向に回動させると、ロックを解除して扉を開閉可能にし、扉の開閉を自由にすることができるという効果がある。このように、本願発明に係る扉止め装置は、扉の開閉動作のみでストッパー板のロック及びロック解除を行えることができ、ロック操作を容易に行うことができるという効果がある。
【００２０】
本願発明に係る扉止め装置は、前記係止手段が、回動枠を非ロック位置で係止する第１の係止部と、回動枠をロック位置で係止する第２の係止部とを有する。本願発明に係る扉止め装置は、通常、回動枠が係止手段の第１の係止部に係止されており、係合凸部がストッパー板と係合可能であり、係止突起がストッパー板の開口に挿通しない非ロック位置にある。扉を閉じている状態から開くと、扉止め装置が床面に回動可能に設けられた金属製のストッパー板の上方に位置し、回動枠又は基枠に設けた磁石がストッパー板を引き寄せて、ストッパー板が係合凸部に係合する。さらに扉を開く方向に移動させると、床面に取り付けられているストッパー板が係合凸部に係合しているのでストッパー板が回動枠を押圧する形となり、回動枠が第１の係止部から脱離してロック位置に回動する。回動枠は、ロック位置に回動すると、係止突起がストッパー板の開口に挿通し、係止手段の第２の係止部に係止される。このようにして、本願発明に係る扉止め装置は、扉を開く方向に回動させるだけで、扉を開閉不能にロックして扉の開閉を阻止することができるという効果がある。
【００２１】
本願発明に係る扉止め装置は、回動枠が、基枠から離間した非ロック位置から基枠に近付いたロック位置に回動するように構成され、弾性部材により、非ロック位置側に付勢されているので、回動枠が係止手段に圧接係止されて位置決めされるという効果がある。また、本願発明に係る扉止め装置は、基枠と回動枠の一方には案内軸が設けられ、基枠と回動枠の他方には前記案内軸を摺動可能に案内する案内溝が形成されており、前記回動枠には、基枠に当接して係止され回動枠を非ロック位置で位置決めする前記第1の係止部が形成され、前記案内溝には、前記案内軸を係止して回動枠をロック位置で位置決めする前記第２の係止部が形成されている。本願発明に係る扉止め装置は、回動枠の第１の係止部が基枠に圧接係止され、案内軸が案内溝の第２の係止部に圧接係止され、回動枠の第１の係止部が基枠に係止されると回動枠が非ロック位置で位置決めされ、案内軸が第２の係止部に係止されると回動枠がロック位置で位置決めされ、扉を弾性部材の弾性に抗して開く方向に回動するだけで、回動枠の第１の係止部が圧接係止している基枠から離脱し、さらに案内軸が圧接係止している第２の係止部から離脱してロック及びロック解除をさせることができるという効果がある。
【００２２】
本願発明に係る扉止め装置は、基枠と回動枠の一方には案内軸が設けられ、基枠と回動枠の他方には前記案内軸を摺動可能に案内する案内溝が形成されており、前記案内溝には、前記案内軸を係止して回動枠を非ロック位置で位置決めする前記第１の係止部と、前記案内軸を係止して回動枠をロック位置で位置決めする前記第２の係止部が形成されている。本願発明に係る扉止め装置は、案内軸が案内溝の第１の係止部と第２の係止部に圧接係止され、案内軸が第１の係止部に係止されると回動枠が非ロック位置で位置決めされ、案内軸が第２の係止部に係止されると回動枠がロック位置で位置決めされ、扉を弾性部材の弾性に抗して開く方向に回動するだけで、案内軸が圧接係止している第１の係止部又は第２の係止部から離脱してロック及びロック解除をさせることができるという効果がある。
【００２３】
本願発明に係る扉止め装置は、回動枠に傾動枠が回動可能に設けられており、傾動枠には、前記係合凸部と前記係止突起が形成されているので、ロック状態において傾動枠に過大な負荷がかかった場合、傾動枠がこれの係脱部が回動枠から離脱して非ロック位置に回動し、ロックを強制的に解除して、装置本体の損傷・破壊を防止することができるという効果がある。
【００２４】
本願発明に係る扉止め装置は、回動枠に傾動枠が回動可能に設けられており、傾動枠には、前記係合凸部と前記係止突起が形成され、さらに、基枠に形成されたガイドに案内されるガイド軸を有する。ガイドは、係止突起がストッパー板の開口に挿通しない非ロック位置に傾動枠のガイド軸をガイドする傾斜ガイドと、係止突起がストッパー板の開口に挿通するロック位置に傾動枠のガイド軸をガイドする主ガイドを有する。
【００２５】
本願発明に係る扉止め装置は、通常、回動枠に回動可能に設けられた傾動枠のガイド軸が傾斜ガイドに案内され、回動枠が係止手段によって非ロック位置で係止されており、係合凸部がストッパー板と係合可能であり、係止突起がストッパー板の開口に挿通しない位置にある。扉を閉じている状態から開くと、扉止め装置が床面に回動可能に設けられた金属製のストッパー板の上方に位置し、磁石がストッパー板を引き寄せて、ストッパー板が係合凸部に係合する。さらに扉を開く方向に移動させると、床面に取り付けられているストッパー板が係合凸部に係合しているのでストッパー板が傾動枠を押圧する形となり、傾動枠のガイド軸が主ガイドに案内されて傾動枠が非ロック位置からロック位置に回動する。傾動枠は、ロック位置に回動すると、係止突起がストッパー板の開口に挿通し、係止手段によって係止される。本願発明に係る扉止め装置は、扉を開く方向に回動させるだけで、扉を開閉不能にロックして扉の開閉を阻止することができるという効果がある。また、本願発明に係る扉止め装置は、傾動枠がロック位置にある状態で、さらに扉を開く方向に回動させると、ロックを解除して扉を開閉可能にし、扉の開閉を自由にすることができるという効果がある。このように、本願発明に係る扉止め装置は、扉の開閉動作のみでストッパー板のロック及びロック解除を行えることができ、ロック操作を容易に行うことができるという効果がある。
【００２６】
本願発明に係る扉止め装置は、ガイドには、ロック位置にある傾動枠に負荷がかかった場合、ガイド軸が主ガイドから外れて傾動枠を非ロック位置に回動させる解除ガイドが形成されている。本願発明に係る扉止め装置は、ロック状態において傾動枠に過大な負荷がかかった場合、傾動枠はこれのガイド軸が基枠に形成された主ガイドから解除ガイドに離脱して回動し、ロックを強制的に解除して、装置本体の損傷・破壊を防止することができるという効果がある。
【図面の簡単な説明】
【００２７】
【図１】ストッパー装置の全体斜視図である。
【図２】ストッパー装置の分解斜視図である。
【図３】本願発明に係る扉止め装置の一つの実施の形態を示す全体透視斜視図である。
【図４】図３の扉止め装置の要部分解斜視図である。
【図５】図３の扉止め装置の全体分解斜視図である。
【図６】図３の扉止め装置の要部分解斜視図である。
【図７】図３の扉止め装置の動作説明図である。
【図８】図３の扉止め装置の上面図である。
【図９】図３の扉止め装置の過負荷ロック解除の説明断面図である。
【図１０】図３の扉止め装置の要部拡大説明図である。
【図１１】本願発明に係る扉止め装置の他の実施の形態を示す全体透視斜視図である。
【図１２】図１１の扉止め装置の要部分解斜視図である。
【図１３】図１１の扉止め装置の全体分解斜視図である。
【図１４】図１１の扉止め装置の動作説明図である。
【図１５】図１１の扉止め装置の過負荷ロック解除の説明断面図である。
【図１６】本願発明に係る扉止め装置の他の実施の形態を示す全体透視斜視図である。
【図１７】図１６の扉止め装置の要部分解斜視図である。
【図１８】図１６の扉止め装置の要部分解斜視図である。
【図１９】図１６の扉止め装置の一方から視た全体分解斜視図である。
【図２０】図１６の扉止め装置の他方から視た全体分解斜視図である。
【図２１】図１６の扉止め装置の要部分解斜視図である。
【図２２】図１６の扉止め装置の要部斜視図である。
【図２３】図１６の扉止め装置の要部斜視図である。
【図２４】図１６の扉止め装置の要部斜視図である。
【図２５】図１６の扉止め装置の動作説明図である。
【図２６】図１６の扉止め装置の過負荷ロック解除の説明断面図である。
【図２７】図１６の扉止め装置の側面断面図である。
【図２８】図１６の扉止め装置の要部説明図である。
【図２９】図１６の扉止め装置の要部説明図である。
【図３０】本願発明に係る扉止め装置の他の実施の形態を示す動作説明図である。
【図３１】図３１の扉止め装置の上面図である。
【図３２】図３１の扉止め装置の側面断面である。
【発明を実施するための形態】
【００２８】
扉止め装置１，７１，１０１は、開閉する扉５に取り付けられ、扉５が開閉して、床面に回動可能に設けられた金属製のストッパー板５２の上方に位置すると、ストッパー板５２を磁石３によって引き寄せて係合し、扉５の開閉を阻止する。装置本体２，７２，１０２は、扉５に固定して取り付けられる基枠１０，８０，１１０と、基枠１０，８０，１１０に回動可能に取り付けられた回動枠２０，１２０とを有する。回動枠２０，１２０には、磁石３と、磁石３によって引き寄せたストッパー板５２と係合する係合凸部４６，１４６と、ストッパー板５２に形成された開口５３に挿通可能な係止突起４７，１４７が設けられている。回動枠２０，１２０は、係合凸部４６，１４６がストッパー板５２と係合すると、係止突起４７，１４７がストッパー板５２の開口５３に挿通しない非ロック位置Ｐ１から、係止突起４７，１４７がストッパー板５２の開口５３に挿通するロック位置Ｐ２に回動するように構成されている。さらに装置本体２，７２，１０２は、回動枠２０，１２０を非ロック位置Ｐ１とロック位置Ｐ２で係止する係止手段６，７が設けられている。
【００２９】
また、扉止め装置２０１は、開閉する扉５に取り付けられ、扉５が開閉して、床面に回動可能に設けられた金属製のストッパー板５２の上方に位置すると、ストッパー板５２を磁石３によって引き寄せて係合し、扉５の開閉を阻止する。装置本体２０２は、扉５に固定して取り付けられる基枠２１０と、基枠２１０に回動可能に取り付けられた回動枠２２０とを有する。基枠２１０には、磁石３が設けられている。回動枠２２０には、基枠２１０に設けられた磁石３によって引き寄せたストッパー板５２と係合する係合凸部２４６と、ストッパー板５２に形成された開口５３に挿通可能な係止突起２４７が設けられている。回動枠２２０は、係合凸部２４６がストッパー板５２と係合すると、係止突起２４７がストッパー板５２の開口５３に挿通しない非ロック位置Ｐ１から、係止突起２４７がストッパー板５２の開口５３に挿通するロック位置Ｐ２に回動するように構成されている。さらに装置本体２０２は、回動枠２２０を非ロック位置Ｐ１とロック位置Ｐ２で係止する係止手段６が設けられている。
【００３０】
扉止め装置１，７１，１０１，２０１は、開閉する扉５に基枠１０，８０，１１０，２１０が固定して取り付けられる。通常、回動枠２０，１２０，２２０は、係止手段６，７によって非ロック位置Ｐ１で係止されており、係合凸部４６，１４６，２４６がストッパー板５２と係合可能であり、係止突起４７，１４７，２４７がストッパー板５２の開口５３に挿通しない位置にある。扉５を閉じている状態から開くと、扉止め装置１，７１，１０１，２０１が床面に回動可能に設けられた金属製のストッパー板５２の上方に位置し、回動枠２０，１２０又は基枠２１０に設けた磁石３がストッパー板５２を引き寄せて、ストッパー板５２が係合凸部４６，１４６，２４６に係合する。さらに扉５を開く方向Ａに移動させると、床面に取り付けられているストッパー板５２が係合凸部４６，１４６，２４６に係合しているのでストッパー板５２が回動枠２０，１２０，２２０を押圧する形となり、回動枠２０，１２０，２２０が非ロック位置Ｐ１からロック位置Ｐ２に回動する。回動枠２０，１２０，２２０は、ロック位置Ｐ２に回動すると、係止突起４７，１４７，２４７がストッパー板５２の開口５３に挿通し、係止手段６，７によって係止される。扉止め装置１，７１，１０１，２０１は、扉５を開く方向Ａに回動させるだけで、扉５を開閉不能にロックして扉５の開閉を阻止することができる。また、扉止め装置１，７１，１０１，２０１は、回動枠２０，１２０，２２０がロック位置Ｐ２にある状態で、さらに扉５を開く方向Ａに回動させると、ロックを解除して扉５を開閉可能にし、扉５の開閉を自由にすることができる。このように、扉止め装置１，７１，１０１，２０１は、扉５の開閉動作のみでストッパー板５２のロック及びロック解除を行えることができ、ロック操作を容易に行うことができる。
【００３１】
扉止め装置１，７１，２０１の係止手段６は、回動枠２０，２２０を非ロック位置Ｐ１で係止する第１の係止部３１（又は２２ｂ，２３ｂ）、２３１（又は２２２ｂ，２２３ｂ）と、回動枠２０，２２０をロック位置Ｐ２で係止する第２の係止部３２，２３２とを有する。扉止め装置１０１の係止手段７は、回動枠１２０を非ロック位置Ｐ１で係止する第１の係止部１３１（又は１４４ｂ，１４５ｂ）と、回動枠１２０をロック位置Ｐ２で係止する第２の係止部１３２とを有する。扉止め装置１，７１，１０１，２０１は、通常、回動枠２０，１２０，２２０が係止手段６，７の第１の係止部３１（又は２２ｂ，２３ｂ）、１３１（又は１４４ｂ，１４５ｂ）、２３１（又は２２２ｂ，２２３ｂ）に係止されており、係合凸部４６，１４６，２４６がストッパー板５２と係合可能であり、係止突起４７，１４７，２４７がストッパー板５２の開口５３に挿通しない非ロック位置Ｐ１にある。扉５を閉じている状態から開くと、扉止め装置１，７１，１０１，２０１が床面に回動可能に設けられた金属製のストッパー板５２の上方に位置し、回動枠２０，１２０又は基枠２１０に設けた磁石３がストッパー板５２を引き寄せて、ストッパー板５２が係合凸部４６，１４６，２４６に係合する。さらに扉５を開く方向Ａに移動させると、床面に取り付けられているストッパー板５２が係合凸部４６，１４６，２４６に係合しているのでストッパー板５２が回動枠２０，１２０，２２０を押圧する形となり、回動枠２０，１２０，２２０が第１の係止部３１（又は２２ｂ，２３ｂ）、１３１（又は１４４ｂ，１４５ｂ）、２３１（又は２２２ｂ，２２３ｂ）から脱離してロック位置Ｐ２に回動する。回動枠２０，１２０，２２０は、ロック位置Ｐ２に回動すると、係止突起４７，１４７，２４７がストッパー板５２の開口５３に挿通し、係止手段６，７の第２の係止部３２、１３２、２３２に係止される。このようにして、扉止め装置１，７１，１０１，２０１は、扉５を開く方向Ａに回動させるだけで、扉５を開閉不能にロックして扉５の開閉を阻止することができる。
【００３２】
扉止め装置１，７１，１０１，２０１は、回動枠２０，１２０，２２０が、基枠１０，８０，１１０，２１０から離間した非ロック位置Ｐ１から基枠１０，８０，１１０，２１０に近付いたロック位置Ｐ２に回動するように構成され、弾性部材１１９，２１９により、非ロック位置Ｐ１側に付勢されているので、回動枠２０，１２０，２２０が係止手段６，７に圧接係止されて位置決めされる。
【００３３】
扉止め装置１，７１，１０１，２０１は、基枠１０，８０，１１０，２１０と回動枠２０，１２０，２２０の一方に案内軸２６，１２６，２２６が設けられ、基枠１０，８０，１１０，２１０と回動枠２０，１２０，２２０の他方に前記案内軸２６，１２６，２２６を摺動可能に案内する案内溝３０，１３０，２３０が形成されている。前記回動枠２０，１２０，２２０には、基枠１０，８０，１１０，２１０に当接して係止され回動枠２０，１２０，２２０を非ロック位置Ｐ１で位置決めする前記第1の係止部２２ｂ，２３ｂ、１４４ｂ，１４５ｂ、２２２ｂ，２２３ｂが形成され、前記案内溝３０，１３０，２３０には、前記案内軸２６，１２６，２２６を係止して回動枠２０，１２０，２２０をロック位置Ｐ２で位置決めする前記第２の係止部３２、１３２、２３２が形成されている。扉止め装置１，７１，１０１，２０１は、回動枠２０，１２０，２２０の第１の係止部２２ｂ，２３ｂ、１４４ｂ，１４５ｂ、２２２ｂ，２２３ｂが基枠１０，８０，１１０，２１０に圧接係止され、案内軸２６，１２６，２２６が案内溝３０，１３０，２３０の第２の係止部３２、１３２、２３２に圧接係止される。扉止め装置１，７１，１０１，２０１は、回動枠２０，１２０，２２０の第１の係止部２２ｂ，２３ｂ、１４４ｂ，１４５ｂ、２２２ｂ，２２３ｂが基枠１０，８０，１１０，２１０に係止されると回動枠２０，１２０，２２０が非ロック位置Ｐ１で位置決めされる。また、扉止め装置１，７１，１０１，２０１は、案内軸２６，１２６，２２６が案内溝３０，１３０，２３０の第２の係止部３２、１３２、２３２に係止されると回動枠２０，１２０，２２０がロック位置Ｐ２で位置決めされる。扉止め装置１，７１，１０１，２０１は、扉５を弾性部材１１９，２１９の弾性に抗して開く方向Ａに回動するだけで、回動枠２０，１２０，２２０の第１の係止部２２ｂ，２３ｂ、１４４ｂ，１４５ｂ、２２２ｂ，２２３ｂが圧接係止している基枠１０，８０，１１０，２１０から離脱し、さらに案内軸２６，１２６，２２６が圧接係止している第２の係止部３２、１３２、２３２から離脱してロック及びロック解除を容易にさせることができる。
【００３４】
扉止め装置１，７１，１０１，２０１は、基枠１０，８０，１１０，２１０と回動枠２０，１２０，２２０の一方に案内軸２６，１２６，２２６が設けられ、基枠１０，８０，１１０，２１０と回動枠２０，１２０，２２０の他方に前記案内軸２６，１２６，２２６を摺動可能に案内する案内溝３０，１３０，２３０が形成されている。前記案内溝３０，１３０，２３０には、前記案内軸２６，１２６，２２６を係止して回動枠２０，１２０，２２０を非ロック位置Ｐ１で位置決めする前記第１の係止部３１、１３１、２３１と、前記案内軸２６，１２６，２２６を係止して回動枠２０，１２０，２２０をロック位置Ｐ２で位置決めする前記第２の係止部３２、１３２、２３２が形成されている。扉止め装置１，７１，１０１，２０１は、案内軸２６，１２６，２２６が案内溝３０，１３０，２３０の第１の係止部３１、１３１、２３１と第２の係止部３２、１３２、２３２に圧接係止される。扉止め装置１，７１，１０１，２０１は、案内軸２６，１２６，２２６が第１の係止部３１、１３１、２３１に係止されると回動枠２０，１２０，２２０が非ロック位置Ｐ１で位置決めされ、案内軸２６，１２６，２２６が第２の係止部３２、１３２、２３２に係止されると回動枠２０，１２０，２２０がロック位置Ｐ２で位置決めされる。扉止め装置１，７１，１０１，２０１は、扉５を弾性部材１１９，２１９の弾性に抗して開く方向Ａに回動するだけで、案内軸２６，１２６，２２６が圧接係止している第１の係止部３１、１３１、２３１又は第２の係止部３２、１３２、２３２から離脱してロック及びロック解除を容易にさせることができる。
【００３５】
扉止め装置１，７１は、回動枠２０に磁石３を保持する傾動枠４０が回動可能に設けられている。傾動枠４０には、前記係合凸部４６と前記係止突起４７が形成され、さらに、回動枠２０に係脱自在に係止される係脱部４４ｂ，４５ｂを有する。傾動枠４０は、係脱部４４ｂ，４５ｂが回動枠２０に係止されている時には回動枠２０と一体となっており、傾動枠４０に負荷がかかった場合、係脱部４４ｂ，４５ｂが回動枠２０から離脱して非ロック位置Ｐ１に回動するように構成されている。扉止め装置１，７１は、ロック状態において傾動枠４０に過大な負荷がかかった場合、傾動枠４０がこれの係脱部４４ｂ，４５ｂが回動枠２０から離脱して非ロック位置Ｐ１に回動し、ロックを強制的に解除して、装置本体２，７２の損傷・破壊を防止することができる。なお、扉止め装置１，７１は、磁石３を傾動枠４０に保持させるのではなく、基枠１０，８０に磁石３を配置しても良い。扉止め装置１，７１は、ロック状態において傾動枠４０に過大な負荷がかかった場合、傾動枠４０はこれの係脱部４４ｂ、４５ｂが回動枠２０から離脱して非ロック位置Ｐ１に回動し、ロックを強制的に解除して、装置本体２，７２の損傷・破壊を防止することができる。
【００３６】
扉止め装置１０１は、回動枠１２０に磁石３を保持する傾動枠１４０が回動可能に設けられている。傾動枠１４０には、前記係合凸部１４６と前記係止突起１４７が形成されている。さらに、扉止め装置１０１は、基枠１１０に形成されたガイド１５０に案内されるガイド軸１４４ｂ，１４５ｂを有する。ガイド１５０は、係止突起１４７がストッパー板５２の開口５３に挿通しない非ロック位置Ｐ１に傾動枠１４０のガイド軸１４４ｂ，１４５ｂをガイドする傾斜ガイド１５２と、係止突起１４７がストッパー板５２の開口５３に挿通するロック位置Ｐ２に傾動枠１４０のガイド軸１４４ｂ，１４５ｂをガイドする主ガイド１５１を有する。なお、扉止め装置１０１は、磁石３を傾動枠１４０に保持させるのではなく、基枠１１０に磁石３を配置しても良い。
【００３７】
扉止め装置１０１は、通常、回動枠１２０に回動可能に設けられた傾動枠１４０のガイド軸１４４ｂ，１４５ｂが傾斜ガイド１５２に案内され、回動枠１２０が係止手段７によって非ロック位置Ｐ１で係止されており、係合凸部１４６がストッパー板５２と係合可能であり、係止突起１４７がストッパー板５２の開口５３に挿通しない位置にある。扉５を閉じている状態から開くと、扉止め装置１０１が床面に回動可能に設けられた金属製のストッパー板５２の上方に位置し、磁石３がストッパー板５２を引き寄せて、ストッパー板５２が係合凸部１４６に係合する。さらに扉５を開く方向Ａに移動させると、床面に取り付けられているストッパー板５２が係合凸部１４６に係合しているのでストッパー板５２が傾動枠１４０を押圧する形となり、傾動枠１４０のガイド軸１４４ｂ，１４５ｂが主ガイド１５１に案内されて傾動枠１４０が非ロック位置Ｐ１からロック位置Ｐ２に回動する。傾動枠１４０は、ロック位置Ｐ２に回動すると、係止突起１４７がストッパー板５２の開口５３に挿通し、係止手段７によって係止される。扉止め装置１０１は、扉５を開く方向Ａに回動させるだけで、扉５を開閉不能にロックして扉５の開閉を阻止することができる。また、扉止め装置１０１は、傾動枠１４０がロック位置Ｐ２にある状態で、さらに扉５を開く方向Ａに回動させると、ロックを解除して扉５を開閉可能にし、扉５の開閉を自由にすることができる。このように、扉止め装置１０１は、扉５の開閉動作のみでストッパー板５２のロック及びロック解除を行えることができ、ロック操作を容易に行うことができる。
【００３８】
扉止め装置１０１は、ガイド１５０に、ロック位置Ｐ２にある傾動枠１４０に負荷がかかった場合、ガイド軸１４４ｂ，１４５ｂが主ガイド１５１から外れて傾動枠１４０を非ロック位置Ｐ１に回動させる解除ガイド１５３が形成されている。扉止め装置１０１は、ロック状態において傾動枠１４０に過大な負荷がかかった場合、傾動枠１４０はこれのガイド軸１４４ｂ、１４５ｂが基枠１１０に形成された主ガイド１５１から解除ガイド１５３に離脱して回動し、ロックを強制的に解除して、装置本体１０２の損傷・破壊を防止することができる。
【００３９】
さらに、詳細に説明する。先に、図１，２に基づいて、床に固定されるストッパー装置５０について説明する。ストッパー装置５０は、床面に固定される基台５１と、基台５１に回動可能に取り付けられた金属製のストッパー板５２と、基台５１を覆うカバー５７とからなる。金属製のストッパー板５２は、板状に形成され、開口５３が形成されている。ストッパー板５２は、カバー５７に形成された矩形状凹部５６内に収納されており、一端５４に形成された軸５８が基台５１に形成された軸受け部５９，５９に回動可能に取り付けられている。この基台５１は、床面にネジ、接着剤等によって固定されている。
【００４０】
扉止め装置１を、図3乃至１０に基づいて詳細に説明する。扉止め装置１の装置本体２は、図3に示すように、基枠１０と、基枠１０に回動可能に取り付けられた回動枠２０とからなる。図5に示すように、基枠１０は、後壁１１と、後壁１１の右側に設けられた略台形状の右壁１２と、後壁１１の左側に設けられた略台形状の左壁１３とからなり、後壁１１が扉５の下部にネジ等の取付手段により直接固定して取り付けられる。
【００４１】
図5，6に示すように、回動枠２０は、正面壁２１と、正面壁２１の右側に設けられた右面壁２２と、正面壁２１の左側に設けられた左面壁２３と、正面壁２１の上側に設けられた上面壁２４と、内部を上下に仕切る仕切壁２５とからなる。回動枠２０は、右面壁２２と左面壁２３の上部に回動軸２２ａ，２３ａが設けられ、図3に示すように、当該回動軸２２ａ，２３ａが基枠１０の右壁１２と左壁１３に形成された軸受け穴１５に枢支され、基枠１０に回動可能に取り付けられている。また、回動枠２０の右面壁２２と左面壁２３の上部には、回動枠２０の回動時に、基枠１０の後壁１１と当接する係止縁２２ｂ，２３ｂが形成されている。さらに、図７に示すように、回動枠２０の右面壁２２内面には、ハートマーク状の案内溝３０が形成されている。
【００４２】
図7に示すように、基枠１０には、案内ピン２６の後部２７を回動可能に枢着する軸受け孔１６が形成されている。案内ピン２６の先端２８は前記案内溝３０に案内されるようになっている。前記案内溝３０は、後部に案内ピン２６の先端２８を係止する第１の係止部３１が形成され、前部にも案内ピン２６の先端２８を係止する第２の係止部３２が形成されており、第１の係止部３１から第２の係止部３２へ案内ピン２６の先端２８を案内する下側の第１の案内溝３３と、第２の係止部３２から第１の係止部３１へ案内ピン２６の先端２８を案内する上側の第２の案内溝３４とからなる。案内溝３０は、案内ピン２６の先端２８を第１の係止部３１、下側の第１の案内溝３３、第２の係止部３２、上側の第２の案内溝３４、第１の係止部３１と順番に案内する。案内ピン２６の先端２８は、第１の係止部３１から離脱すると必ず下側の第１の案内溝３３に案内されて第２の係止部３２側に移動し、第２の係止部３２に係止される。案内ピン２６の先端２８は、第２の係止部３２から離脱すると必ず上側の第２の案内溝３４に案内されて第１の係止部３１側に移動し、第１の係止部３１に係止される。なお、回動枠２０と基枠１０の間には、回動枠２０を基枠１０から離間する方向に付勢する弾性部材が設けられおり、当該弾性部材により回動枠２０の前記係止縁２２ｂ、２３ｂが基枠１０の後壁１１に圧接係止され、案内ピン２６の先端２８が案内溝３０の第２の係止部３２に圧接して係止される。又は、当該弾性部材により案内ピン２６の先端２８が案内溝３０の第１の係止部３１と第２の係止部３２に圧接して係止される。上記した係止縁２２ｂ、２３ｂ（第１の係止部）と第２の係止部３２又は第１の係止部３１と第２の係止部３２によって扉止め装置１の係止手段６を構成している。
【００４３】
回動枠２０には、磁石３を保持する傾動枠４０が回動可能に設けられている。図5，６に示すように、傾動枠４０は、底壁４１と、前壁４２と、後壁４３と、右壁４４と、左壁４５とで構成され、内部に磁石３が設けられている。傾動枠４０は、右壁４４と左壁４５の前方上部に支軸４４ａ，４５ａが設けられ、当該支軸４４ａ，４５ａが回動枠２０の右面壁２２と左面壁２３に形成された軸受け穴２９に枢支され、回動枠２０に回動可能に取り付けられている。
【００４４】
また、傾動枠４０は、図７，９に示すように、右壁４４と左壁４５の後方上部に係止片（係脱部）４４ｂ，４５ｂが設けられ、当該係止片４４ｂ，４５ｂが回動枠２０の右面壁２２と左面壁２３に形成された壁面係止部２２ｃ，２３ｃに係止され、回動枠２０に回動しないようにして取り付けられている。なお、傾動枠４０の後壁４３は、上端４３ａが仕切壁２５に当接している。図４，６に示すように、傾動枠４０の底壁４１には、係合凸部４６と係止突起４７が形成されている。係止突起４７は、前部に傾斜縁４８が形成されている。
【００４５】
図７に示すように、扉止め装置１は、扉５の下部にネジ等の取付手段により基枠１０の後壁１１を固定して取り付けられる。通常、回動枠２０は、扉５に固定された基枠１０に対して開く方向Ａに傾斜して、非ロック状態Ｐ１となっている。即ち、図７（ａ）に示すように、回動枠２０は、図示しない弾性部材により、基枠１０から離れる方向に付勢されており、回動枠２０の係止縁（第1の係止部）２２ｂ、２３ｂが後壁１１に圧接係止されて、基枠１０に固定されている。係る場合、基枠１０に揺動可能に設けられた案内ピン２６の先端２８は、回動枠２０に形成された案内溝３０の第１の係止部３１に係止されていない。しかし、回動枠２０の係止縁２２ｂ、２３ｂを係止させるのではなく、基枠１０に揺動可能に設けられた案内ピン２６の先端２８を、回動枠２０に形成された案内溝３０の第１の係止部３１に係止させて固定するようにしても良い。傾動枠４０は、回動枠２０と一体となっており、傾動枠４０の底壁４１が前方に向かって傾斜し、底壁４１に形成された係合凸部４６が下方に位置し、係止突起４７が上方に位置している。
【００４６】
扉５をＡ方向に開いて扉止め装置１がストッパー板５２の上方に回動すると、傾動枠４０の磁石３により、ストッパー板５２が引き寄せられ、ストッパー板５２の先端５５が傾動枠４０の底壁４１及び係合凸部４６に係合する。ストッパー板５２の先端５５は、係止突起４７に当接しても、傾斜縁４８により摺動して係合凸部４６に案内され、係合凸部４６に係合する。
【００４７】
さらに扉５をＡ方向に開くと、ストッパー板５２の先端５５に当接している傾動枠４０を介して回動枠２０が弾性部材の弾性に抗してあたかも基枠１０側に押し戻される形となる。図７（ｂ）に示すように、回動枠２０は、回動軸２２ａ，２３ａを中心として下部後方に回動し、係止突起４７がストッパー板５２の開口５３に挿通する。回動枠２０の係止縁（第1の係止部）２２ｂ、２３ｂが後壁１１から離れ、基枠１０に設けられた案内ピン２６の先端２８が、下側の第１の案内溝３３によって案内されて第２の係止部３２へ移動する。なお、案内ピン２６の先端２８が案内溝３０の第１の係止部３１に係止されている場合には、基枠１０に設けられた案内ピン２６の先端２８が、第１の係止部３１から外れ、下側の第１の案内溝３３によって案内されて第２の係止部３２へ移動する。扉５は、ストッパー板５２によって開く方向Ａの移動が阻止されている回動枠２０に当接して、回動が阻止される。なお、図５に示すように、基枠１０の右壁１２及び左壁１３の下部に当接凸起１８を形成し、図１０に示すように、扉５を開くと、当接凸起１８がストッパー板５２の先端５５に当接して、扉５の回動を阻止するように構成しても良い。このように当接凸起１８を設けることにより、扉５の開放時のストッパー板５２の当接による衝撃を基枠１０で受けることが可能となり、衝撃負荷が分散されて傾動枠４０，回動枠２０等の部品の損傷を低減することができる。
【００４８】
図７（ｃ）に示すように、扉５は、開く方向Ａへの力を解消すると、扉止め装置１に設けられた弾性部材によって基枠１０を介して閉じる方向Ｂに若干移動し、基枠１０に設けられた案内ピン２６の先端２８が、第２の係止部３２に係止されてロック状態Ｐ２となる。基枠１０と回動枠２０の間に隙間が形成されている。扉５の開く方向Ａへの回動は、ストッパー板５２の先端５５が傾動枠４０の係合凸部４６（又は基枠１０の当接凸起１８）に係合して阻止される。扉５の閉じる方向Ｂへの回動は、ストッパー板５２の開口５３の縁５３ａに傾動枠４０の係止突起４７が係止しているので阻止される。このようにして扉５の開閉方向Ａ，Ｂの回動は、扉止め装置１によって阻止される。
【００４９】
上記したロック状態を解除するには、図７（ｂ）に示すように、扉５を弾性部材の弾性の抗して開く方向Ａに回動させてから離す。基枠１０に設けられた案内ピン２６の先端２８が、第２の係止部３２から外れ、上側の第２の案内溝３４によって案内されて第１の係止部３１側へ移動する。図７（ａ）に示すように、回動枠２０は弾性部材によって非ロック状態Ｐ１に復帰し、係止突起４７がストッパー板５２の開口５３から引き出される。扉５は、係止突起４７がストッパー板５２の開口５３に挿入していないので、閉じる方向Ｂに回動させることが可能となる。
【００５０】
なお、図７（ｃ）に示すロック状態において、扉５を強引に閉じる方向Ｂに回動させる。傾動枠４０がストッパー板５２によって閉じる方向Ｂへの移動が阻止されているが、回動枠２０が閉じる方向Ｂに移動しようとするので、図９に示すように、傾動枠４０は、係止片４４ｂ，４５ｂが回動枠２０の壁面係止部２２ｃ,２３ｃから外れて回動する。傾動枠４０が回動するのでロック状態Ｐ２が解除されて非ロック状態Ｐ１となり、傾動枠４０及びストッパー板５２等の損傷・破壊を防止する。係るロック解除は、通常の扉５の閉じる方向Ｂへの回動である場合には発生せず、過大な負荷が扉５の閉じる方向Ｂに作用し、過大な負荷が係止片４４ｂ、４５ｂの係止力を上回った場合に発生することになる。
【００５１】
さらに、図１１乃至１５に基づいて、扉止め装置７１について詳細に説明する。扉止め装置７１の装置本体７２は、扉止め装置１の装置本体２と基本的に同じ構成を採用しており、基枠８０が基枠１０と相違する。基枠８０は、後壁８１と、前壁８５と、後壁８１及び前壁８５の右側に設けられた略台形状の右壁８２と、後壁８１及び前壁８５の左側に設けられた略台形状の左壁８３と、後壁８１及び前壁８５の上側に設けられた上壁８６とからなり、基枠８０内に回動枠２０が回動可能に取り付けられている。扉止め装置７１は、後壁８１が扉５の下部にネジ等の取付手段により直接固定して取り付けられる。
【００５２】
回動枠２０は、回動軸２２ａ，２３ａが基枠８０の右壁８２と左壁８３に形成された軸受け穴８４に枢支され、基枠８０に回動可能に取り付けられている。基枠８０には、案内ピン２６の後部２７を回動可能に枢着する軸受け孔８８が形成されている、案内ピン２６の先端２８が回動枠２０の案内溝３０に案内されるようになっている。右壁８２及び左壁８３の下端には、湾曲したガイド８２ａ，８３ａが形成されている。ガイド８２ａ，８３ａは、回動軸２２ａ，２３ａを略中心として、回動軸２２ａ，２３ａから傾動枠４０の底壁４１と略同じ長さを半径とした円弧状に形成されている。
【００５３】
扉止め装置７１は、扉５の下部にネジ等の取付手段により基枠８０の後壁８１を固定して取り付けられる。通常、図１４（ａ）に示すように、回動枠２０は、扉５に固定された基枠８０に対して開く方向Ａに傾斜して、非ロック状態Ｐ１となっている。即ち、回動枠２０は、図示しない弾性部材により、基枠８０から離れる方向に付勢されており、回動枠２０の係止縁（第1の係止部）２２ｂ、２３ｂが後壁８１に圧接係止されて、基枠８０に固定されている。係る場合、基枠８０に揺動可能に設けられた案内ピン２６の先端２８は、回動枠２０に形成された案内溝３０の第１の係止部３１に係止されていない。しかし、回動枠２０の係止縁２２ｂ、２３ｂを後壁８１に係止させるのではなく、基枠８０に揺動可能に設けられた案内ピン２６の先端２８を、回動枠２０に形成された案内溝３０の第１の係止部３１に係止させて固定するようにしても良い。傾動枠４０は、回動枠２０と一体となっており、傾動枠４０の底壁４１が前方に向かって傾斜し、底壁４１に形成された係合凸部４６が下方に位置し、係止突起４７が上方に位置している。
【００５４】
図１４（ａ）に示すように、扉５をＡ方向に開いて扉止め装置７１がストッパー板５２の上方に回動すると、傾動枠４０の磁石３により、ストッパー板５２が引き寄せられ、ストッパー板５２の先端５５が傾動枠４０の底壁４１及び係合凸部４６に係合すると共に、基枠８０のガイド８２ａ，８３ａにも係合する。さらに扉５を開くと、図１４（ｂ）に示すように、ストッパー板５２の先端５５に当接している傾動枠４０を介して回動枠２０が弾性部材の弾性に抗してあたかも基枠８０側に押し戻される形となる。回動枠２０は、回動軸２２ａ，２３ａを中心として下部後方に回動し、係止突起４７がストッパー板５２の開口５３に挿通する。ストッパー板５２の先端５５は、磁石３の吸引力により、傾動枠４０の底壁４１及び係合凸部４６に係合した状態で、ガイド８２ａ，８３ａに摺接する。回動枠２０の係止縁（第1の係止部）２２ｂ、２３ｂが後壁８１から離れ、基枠８０に設けられた案内ピン２６の先端２８が、下側の第１の案内溝３３によって案内されて第２の係止部３２へ移動する。なお、案内ピン２６の先端２８が案内溝３０の第１の係止部３１に係止されている場合には、基枠１０に設けられた案内ピン２６の先端２８が、第１の係止部３１から外れ、下側の第１の案内溝３３によって案内されて第２の係止部３２へ移動する。扉５は、ストッパー板５２によって開く方向Ａの移動が阻止されている回動枠２０に当接して、回動が阻止される。 なお、基枠８０の右壁８２及び左壁８３の下部に当接凸起８９を形成し、扉５を開くと、当接凸起８９がストッパー板５２の先端５５に当接して、扉５の回動を阻止するように構成しても良い。また、扉５を開いて扉止め装置７１がストッパー板５２の上方に回動すると、傾動枠４０の磁石３により、ストッパー板５２が引き寄せられるが、ストッパー板５２の先端５５が傾動枠４０の底壁４１に係合せず、係合凸部４６及び基枠８０のガイド８２ａ，８３ａに係合するように構成しても構わない。
【００５５】
図１４（ｃ）に示すように、扉５は、開く方向Ａへの力を解消すると、扉止め装置７１に設けられた弾性部材によって基枠８０を介して閉じる方向Ｂに若干移動し、基枠８０に設けられた案内ピン２６の先端２８が、第２の係止部３２に係止されてロック状態Ｐ２となる。基枠８０と回動枠２０の間に隙間が形成されている。扉５の開く方向Ａへの回動は、ストッパー板５２の先端５５が傾動枠４０の係合凸部４６に係合しているので阻止される。扉５の閉じる方向Ｂへの回動は、ストッパー板５２の開口５３の縁５３ａが傾動枠４０の係止突起４７に係止しているので阻止される。このようにして扉５の開閉方向の回動は、扉止め装置１によって阻止される。
【００５６】
上記したロック状態を解除するには、図１４（ｂ）に示すように、扉５を弾性部材の弾性の抗して開く方向Ａに回動させてから離す。基枠１０に設けられた案内ピン２６の先端２８が、第２の係止部３２から外れ、上側の第２の案内溝３４によって案内されて第１の係止部３１側へ移動する。図１４（ａ）に示すように、回動枠２０は弾性部材によって非ロック状態Ｐ１に復帰し、係止突起４７がストッパー板５２の開口５３から引き出される。扉５は、係止突起４７がストッパー板５２の開口５３に挿入していないので、閉じる方向Ｂに回動させることが可能となる。
【００５７】
なお、上記したロック状態において、図１５に示すように、扉５を強引に閉じる方向Ｂに回動させる。傾動枠４０がストッパー板５２によって閉じる方向Ｂへの移動が阻止されているが、回動枠２０が閉じる方向Ｂに移動しようとするので、傾動枠４０は、係止片４４ｂ，４５ｂが回動枠２０の壁面係止部２２ｃ、２３ｃから外れて回動する。傾動枠４０が回動するのでロック状態Ｐ２が解除されて非ロック状態Ｐ１となり、傾動枠４０及びストッパー板５２等の損傷・破壊を防止する。係るロック解除は、通常の扉５の閉じる方向Ｂへの回動である場合には発生せず、過大な負荷が扉５の閉じる方向Ｂに作用し、過大な負荷が係止片４４ｂ、４５ｂの係止力を上回った場合に発生することになる。扉止め装置７１は、ストッパー板５２の先端５５が傾動枠４０の底壁４１とガイド８２ａ，８３ａに当接するので、ストッパー板５２の先端５５の負荷を基枠８０でも受けることができ、ストッパー板５２の負荷が底壁４１とガイド８２ａ，８３ａに分散されるので、傾動枠４０の負担を軽減することができる。
【００５８】
次に、図１６乃至図２９に基づいて、扉止め装置１０１について詳細に説明する。図１６，１８に示すように、扉止め装置１０１の装置本体１０２は、基枠１１０と、基枠１１０に回動可能に取り付けられた回動枠１２０とからなる。基枠１１０は、後壁１１１と、後壁１１１の右側に設けられた右壁１１２と、後壁１１１の左側に設けられた左壁１１３と、基枠１１０を覆うカバー１１８とからなる。カバー１１８は、下部が開放され、ネジ等の取付手段により後壁１１１に取り付けられている。装置本体１０２は、後壁１１１が扉５の下部にネジ等の取付手段により直接固定して取り付けられる。図１７，１９に示すように、右壁１１２と左壁１１３の下部には、ガイド１５０，１５０が形成されている。図２３に示すように、ガイド１５０は、後壁１１１と略直角の方向（接地面と略平行方向）に伸びる主ガイド１５１と、主ガイド１５１の前端に形成され、前部上方に傾斜する傾斜ガイド１５２と、主ガイド１５１の略中間に形成され、上方に突出する解除ガイド１５３とからなる。また、カバー１１８の内側面には、前記ガイド１５０，１５０の傾斜ガイド１５２に連設する凹部１１８ａ,１１８ａが形成されている。
【００５９】
図２０，２１に示すように、回動枠１２０は、垂直壁１２１と、垂直壁１２１の下部右側に設けられた下部右側壁１２２と、垂直壁１２１の下部左側に設けられた下部左側壁１２３とからなる。回動枠１２０は、垂直壁１２１の上部に回動軸１２４が設けられ、当該回動軸１２４が基枠１１０の右壁１１２と左壁１１３に形成された軸受け穴１１５に枢支され、基枠１１０に回動可能に取り付けられている。また、図２５に示すように、回動枠１２０の垂直壁１２１には、ハートマーク状の案内溝１３０が形成されている。
【００６０】
図２０,２１に示すように、回動枠１２０には、磁石３を保持する傾動枠１４０が回動可能に設けられている。傾動枠１４０は、底壁１４１と、前壁１４２と、後壁１４３と、右壁１４４と、左壁１４５とで構成され、内部に磁石３が設けられている。図２３に示すように、傾動枠１４０の底壁１４１には、係合凸部１４６と係止突起１４７が形成されている。係止突起１４７は、前部に傾斜縁１４８が形成されている。また、傾動枠１４０は、右壁１４４と左壁１４５の後方上部に支軸１４４ａ，１４５ａが設けられ、当該支軸１４４ａ，１４５ａが回動枠１２０の下部右側壁１２２と下部左側壁１２３に形成された軸受け凹部１２９に枢支され、回動枠１２０に回動可能に取り付けられている。
【００６１】
また、傾動枠１４０は、右壁１４４と左壁１４５の前方下部にガイド軸（第１の係止部）１４４ｂ，１４５ｂが設けられ、当該ガイド軸１４４ｂ，１４５ｂが基枠１１０の右壁１１２と左壁１１３の下部に形成されたガイド１５０，１５０に摺動可能に係合して案内される。図１９，２０に示すように、右壁１４４と左壁１４５には、ガイド軸１４４ｂ，１４５ｂと一体に形成され、回動枠１２０の下端縁１２０ａ，１２０ｂに当接する当接突起１４４ｃ，１４５ｃが形成されている。
【００６２】
図２５に示すように、基枠１１０には、案内ピン１２６の後部１２７を回動可能に枢着する軸受け孔１１６が形成されている。案内ピン１２６の先端１２８は、前記案内溝１３０に案内されるようになっている。前記案内溝１３０は、後部に案内ピン１２６の先端１２８を係止する第１の係止部１３１が形成され、前部にも案内ピン１２６の先端１２８を係止する第２の係止部１３２が形成されており、第１の係止部１３１から第２の係止部１３２へ案内ピン１２６の先端１２８を案内する下側の第１の案内溝１３３と、第２の係止部１３２から第１の係止部１３１へ案内ピン１２６の先端１２８を案内する上側の第２の案内溝１３４とからなる。案内溝１３０は、案内ピン１２６の先端１２８を第１の係止部１３１、下側の第１の案内溝１３３、第２の係止部１３２、上側の第２の案内溝１３４、第１の係止部１３１と順番に案内する。案内ピン１２６の先端１２８は、第１の係止部１３１から離脱すると必ず下側の第１の案内溝１３３に案内されて第２の係止部１３２側に移動し、第２の係止部１３２に係止される。案内ピン１２６の先端１２８は、第２の係止部１３２から離脱すると必ず上側の第２の案内溝１３４に案内されて第１の係止部１３１側に移動し、第１の係止部１３１に係止される。なお、回動枠１２０と基枠１１０の間には、回動枠１２０を基枠１１０から離間する方向に付勢する弾性部材１１９が設けられており、当該弾性部材１１９により傾動枠１４０のガイド軸（第１の係止部）１４４ｂ、１４５ｂが基枠１１０の凹部１１８ａ，１１８ａに圧接係止され、案内ピン１２６の先端１２８が案内溝１３０の第２の係止部１３２に圧接して係止される。又は、当該弾性部材１１９により案内ピン１２６の先端１２８が案内溝１３０の第１の係止部１３１と第２の係止部１３２に圧接して係止される。上記したガイド軸（第１の係止部）１４４ｂ、１４５ｂと第２の係止部１３２又は第１の係止部１３１と第２の係止部１３２によって扉止め装置１０１の係止手段７を構成している。
【００６３】
扉止め装置１０１は、扉５の下部にネジ等の取付手段により基枠１１０の後壁１１１を固定して取り付けられる。通常、回動枠１２０は、図２５（ａ）に示すように、扉５に固定された基枠１１０に対して開く方向Ａに傾斜して、非ロック状態Ｐ１となっている。即ち、回動枠１２０は、弾性部材１１９により、基枠１１０から離れる方向に付勢されており、回動枠１２０のガイド軸（第1の係止部）１４４ｂ,１４５ｂがカバー１１８の凹部１１８ａ，１１８ａに圧接係止されて、基枠１１０に固定されている。係る場合、基枠１１０に揺動可能に設けられた案内ピン１２６の先端１２８は、回動枠１２０に形成された案内溝１３０の第１の係止部１３１に係止されていない。しかし、回動枠１２０のガイド軸（第1の係止部）１４４ｂ,１４５ｂをカバー１１８の凹部１１８ａ，１１８ａに係止させるのではなく、基枠１１０に揺動可能に設けられた案内ピン１２６の先端１２８を、回動枠１２０に形成された案内溝１３０の第１の係止部１３１に係止させて固定するようにしても良い。傾動枠１４０は、ガイド軸１４４ｂ，１４５ｂがガイド１５０，１５０の傾斜ガイド１５２に位置しており、傾動枠１４０の底壁１４１が前方に向かって傾斜し、底壁１４１に形成された係合凸部１４６が下方に位置し、係止突起１４７が上方に位置している。
【００６４】
図２５（ａ）に示すように、扉５をＡ方向に開いて扉止め装置１０１がストッパー板５２の上方に回動すると、傾動枠１４０の磁石３により、ストッパー板５２が引き寄せられ、ストッパー板５２の先端５５が傾動枠１４０の係合凸部１４６及びカバー１１８の下端縁１１８ｂに係合する。なお、ストッパー板５２の先端５５を、傾動枠１４０の底壁１４１と係合凸部１４６に係合させても良い。ストッパー板５２の先端５５は、係止突起１４７に当接しても、傾斜縁１４８により摺動して係合凸部１４６に案内され、係合凸部１４６に係合する。
【００６５】
さらに扉５をＡ方向に開くと、図２５（ｂ）に示すように、ストッパー板５２の先端５５に当接している傾動枠１４０を介して回動枠１２０が弾性部材１１９の弾性に抗してあたかも基枠１１０側に押し戻される形となる。回動枠１２０は、回動軸１２４を中心として下部後方に回動し、係止突起１４７がストッパー板５２の開口５３に挿通する。即ち、傾動枠１４０は、ストッパー板５２によって後方に押し戻された形となると、ガイド軸１４４ｂ，１４５ｂが傾斜ガイド１５２から主ガイド１５１に移動するので、支軸１４４ａ，１４５ａを中心として回動し、底壁１４１が下方に向かって略水平となり、底壁１４１に形成された係合凸部１４６と係止突起１４７が略同じ位置となり、係止突起１４７がストッパー板５２の開口５３に挿通する。傾動枠１４０は、ガイド軸１４４ｂ，１４５ｂが主ガイド１５１を移動するので、上記した状態の底壁１４１が略水平状態を維持しながら、後方に水平移動する。ストッパー板５２の先端５５は、常に同じ高さで保持されている。
【００６６】
傾動枠１４０のガイド軸（第１の係止部）１４４ｂ，１４５ｂがカバー１１８の凹部１１８ａから離れ、基枠１１０に設けられた案内ピン１２６の先端１２８が、下側の第１の案内溝１３３によって案内されて第２の係止部１３２へ移動する。扉５は、ストッパー板５２によって開く方向Ａの移動が阻止されている回動枠１２０に当接して、回動が阻止される。なお、基枠１１０の右壁１１２及び左壁１１３の下部に当接凸起１１４を形成し、扉５を開くと、当接凸起１１４がストッパー板５２の先端５５に当接して、扉５の回動を阻止するように構成しても良い。なお、案内ピン１２６の先端１２８が案内溝１３０の第１の係止部１３１に係止されている場合には、基枠１１０に設けられた案内ピン１２６の先端１２８が、第１の係止部１３１から外れ、下側の第１の案内溝１３３によって案内されて第２の係止部１３２へ移動する。
【００６７】
図２５（ｃ）に示すように、扉５は、開く方向Ａへの力を解消すると、扉止め装置１０１に設けられた弾性部材１１９によって基枠１１０を介して閉じる方向Ｂに若干移動し、基枠１１０に設けられた案内ピン１２６の先端１２８が、第２の係止部１３２に係止されてロック状態Ｐ２となる。基枠１１０と回動枠１２０の間に隙間が形成されている。扉５の開く方向Ａへの回動は、ストッパー板５２の先端５５が傾動枠１４０の係合凸部１４６（又は基枠１１０の当接凸起１１４）に係合して阻止される。扉５の閉じる方向Ｂへの回動は、ストッパー板５２の開口５３の縁５３ａに傾動枠１４０の係止突起１４７が係止しているので阻止される。このようにして扉５の開閉Ａ，Ｂ方向の回動は、扉止め装置１０１によって阻止される。
【００６８】
上記したロック状態を解除するには、図２５（ｂ）に示すように、扉５を弾性部材１１９の弾性の抗して開く方向Ａに回動させてから離す。基枠１１０に設けられた案内ピン１２６の先端１２８が、第２の係止部１３２から外れ、上側の第２の案内溝１３４によって案内されて第１の係止部１３１へ移動する。図２５（ａ）に示すように、回動枠１２０は、弾性部材１１９によって非ロック状態Ｐ１に復帰し、係止突起１４７がストッパー板５２の開口５３から引き出される。扉５は、係止突起１４７がストッパー板５２の開口５３に挿入していないので、閉じる方向Ｂに回動させることが可能となる。
【００６９】
図２６に示すように、ロック状態において、扉５を強引に閉じる方向Ｂに回動させる。傾動枠１４０がストッパー板５２によって閉じる方向Ｂへの移動が阻止されているが、回動枠１２０が閉じる方向Ｂに移動しようとするので、傾動枠１４０は、ガイド軸１４４ｂ、１４５ｂが主ガイド１５１から外れて解除ガイド１５３に移動して回動する。傾動枠１４０は、当接突起１４４ｃ,１４５ｃが回動枠１２０の下端縁１２０ａ,１２０ｂに当接しているので、下端縁１２０ａ,１２０ｂを支点として回動し、支軸１４４ａ,１４５ａが軸受け凹部１２９から外れる方向に移動する。傾動枠１４０が回動するのでロック状態Ｐ２が解除されて非ロック状態Ｐ１となり、傾動枠１４０及びストッパー板５２等の損傷・破壊を防止する。係るロック解除は、通常の扉５の閉じる方向Ｂへの回動である場合には発生せず、過大な負荷が扉５の閉じる方向Ｂに作用し、過大な負荷が係止力を上回った場合に発生することになる。
【００７０】
なお、図２７，図２８に示すように、傾動枠１４０の右壁１４４と左壁１４５に係合凹部１４４ｄ,１４５ｄを形成し、回動枠１２０の下部右側壁１２２と下部左側壁１２３に係合凸部１２２ａ,１２３ａを形成する。前記したように、傾動枠１４０が回動枠１２０に対して回動し、図２６，図２９に示すように、ロック解除が行われた場合、傾動枠１４０の係合凹部１４４ｄ,１４５ｄが回動枠１２０の係合凸部１２２ａ,１２３ａに係合するようにしても構わない。
【００７１】
次に、図３０乃至図３２に基づいて、扉止め装置２０１について詳細に説明する。扉止め装置２０１の装置本体２０２は、基枠２１０と、基枠２１０に回動可能に取り付けられた回動枠２２０とからなる。基枠２１０は、後壁２１１と、後壁２１１の右側に設けられた右壁２１２と、後壁２１１の左側に設けられた左壁２１３と、基枠２１０を覆うカバー２１８とからなる。カバー２１８は、下部が開放され、ネジ等の取付手段により後壁２１１に取り付けられている。装置本体２０２は、後壁２１１が扉５の下部にネジ等の取付手段により直接固定して取り付けられる。カバー２１８には、磁石３を保持する保持枠２４０が設けられている。また、カバー２１８の内面下部には、ストッパー板５２の先端５５を案内するガイド突条２１８ｂが形成されている。
【００７２】
回動枠２２０は、上部に回動軸２２４が設けられ、当該回動軸２２４が基枠２１０の右壁２１２と左壁２１３に形成された軸受け穴に枢支され、基枠２１０に回動可能に取り付けられている。また、回動枠２２０には、ハートマーク状の案内溝２３０が形成されている。回動枠２２０の下部には、係合凸部２４６と係止突起２４７が形成されている。
【００７３】
基枠２１０には、案内ピン２２６の後部２２７を回動可能に枢着する軸受け孔が形成されている。案内ピン２２６の先端２２８は、前記案内溝２３０に案内されるようになっている。前記案内溝２３０は、後部に案内ピン２２６の先端２２８を係止する第１の係止部２３１が形成され、前部にも案内ピン２２６の先端２２８を係止する第２の係止部２３２が形成されており、第１の係止部２３１から第２の係止部２３２へ案内ピン２２６の先端２２８を案内する下側の第１の案内溝２３３と、第２の係止部２３２から第１の係止部２３１へ案内ピン２２６の先端２２８を案内する上側の第２の案内溝２３４とからなる。なお、回動枠２２０と基枠２１０の間には、回動枠２２０を基枠２１０から離間する方向に付勢する弾性部材２１９が設けられおり、当該弾性部材２１９により案内ピン２２６の先端２２８が第１の係止部２３１と第２の係止部２３２に圧接して係止される。
【００７４】
扉止め装置２０１は、扉５の下部にネジ等の取付手段により基枠２１０の後壁２１１を固定して取り付けられる。通常、回動枠２２０は、図３０（ａ）に示すように、扉５に固定された基枠２１０に対して開く方向に傾斜して、非ロック状態Ｐ１となっている。即ち、回動枠２２０は、弾性部材２１９により、基枠２１０から離れる方向に付勢されており、回動枠２２０の係止縁（第1の係止部）２２２ｂ、２２３ｂが後壁２１１に圧接係止されて、基枠２１０に固定されている。係る場合、基枠２１０に揺動可能に設けられた案内ピン２２６の先端２２８は、回動枠２２０に形成された案内溝２３０の第１の係止部２３１に係止されていない。
【００７５】
図３０（ａ）に示すように、扉５をＡ方向に開いて扉止め装置２０１がストッパー板５２の上方に回動すると、保持枠２４０の磁石３により、ストッパー板５２が引き寄せられ、ストッパー板５２の先端５５が回動枠２２０の係合凸部２４６及びカバー２１８のガイド突条２１８ｂに係合する。
【００７６】
さらに扉５をＡ方向に開くと、図３０（ｂ）に示すように、ストッパー板５２の先端５５に当接している回動枠２２０が弾性部材２１９の弾性に抗してあたかも後壁２１１側に押し戻される形となる。回動枠２２０は、回動軸２２４を中心として下部後方に回動し、係止突起２４７がストッパー板５２の開口５３に挿通する。
【００７７】
回動枠２２０の係止縁（第1の係止部）２２２ｂ、２２３ｂが後壁２１１から離れ、基枠２１０に設けられた案内ピン２２６の先端２２８が、下側の第１の案内溝２３３によって案内されて第２の係止部２３２へ移動する。扉５は、ストッパー板５２によって開く方向Ａの移動が阻止されている回動枠２２０に当接して、回動が阻止される。なお、基枠２１０の右壁２１２及び左壁２１３の下部に当接凸起２１４を形成し、扉５を開くと、当接凸起２１４がストッパー板５２の先端５５に当接して、扉５の回動を阻止するように構成しても良い。
【００７８】
図３０（ｃ）に示すように、扉５は、開く方向Ａへの力を解消すると、扉止め装置２０１に設けられた弾性部材２１９によって基枠２１０を介して閉じる方向Ｂに若干移動し、基枠２１０に設けられた案内ピン２２６の先端２２８が、第２の係止部２３２に係止されてロック状態となる。基枠２１０と回動枠２２０の間に隙間が形成されている。扉５の開く方向Ａへの回動は、ストッパー板５２の先端５５が回動枠２２０の係合凸部２４６（又は基枠２１０の当接凸起２１４）に係合して阻止される。扉５の閉じる方向Ｂへの回動は、ストッパー板５２の開口５３の縁５３ａに回動枠２２０の係止突起２４７が係止しているので阻止される。このようにして扉５の開閉Ａ，Ｂ方向の回動は、扉止め装置２０１によって阻止される。
【００７９】
上記したロック状態を解除するには、図３０（ｂ）に示すように、扉５を弾性部材２１９の弾性の抗して開く方向Ａに回動させてから離す。基枠２１０に設けられた案内ピン２２６の先端２２８が、第２の係止部２３２から外れ、上側の第２の案内溝２３４によって案内されて第１の係止部２３１側へ移動する。図３０（ａ）に示すように、回動枠２２０は、弾性部材２１９によって非ロック状態Ｐ１に復帰し、係止突起２４７がストッパー板５２の開口５３から引き出される。扉５は、係止突起２４７がストッパー板５２の開口５３に挿入していないので、閉じる方向Ｂに回動させることが可能となる。
【産業上の利用可能性】
【００８０】
本発明に係る扉止め装置は、開閉する扉を開いた状態で扉をロックする固定装置に利用可能である。
【符号の説明】
【００８１】
Ａ  開く方向
Ｂ  閉じる方向
Ｐ１  非ロック位置
Ｐ２  ロック位置
１  扉止め装置
２  装置本体
３  磁石
５  扉
６  係止手段
７  係止手段
１０  基枠
１１  後壁
１２  右壁
１３  左壁
１５  軸受け穴
１６  軸受け孔
１８  当接凸起
２０  回動枠
２１  正面壁
２２  右面壁
２２ａ  回動軸
２２ｂ  係止縁（第1の係止部）
２２ｃ  壁面係止部
２３  左面壁
２３ａ  回動軸
２３ｂ  係止縁（第1の係止部）
２３ｃ  壁面係止部
２４  上面壁
２５  仕切壁
２６  案内ピン（案内軸）
２７  後部
２８  先端
２９  軸受け穴
３０  案内溝
３１  第１の係止部
３２  第２の係止部
３３  第１の案内溝
３４  第２の案内溝
４０  傾動枠
４１  底壁
４２  前壁
４３  後壁
４３ａ  上端
４４  右壁
４４ａ  支軸
４４ｂ  係止片（係脱部）
４５  左壁
４５ａ  支軸
４５ｂ  係止片（係脱部）
４６  係合凸部
４７  係止突起
４８  傾斜縁
４９  係合縁
５０  ストッパー装置
５１  基台
５２  ストッパー板
５３  開口
５３ａ  縁
５４  一端
５５  先端
５６  矩形状凹部
５７  カバー
５８  軸
５９  軸受け部
７１  扉止め装置
７２  装置本体
８０  基枠
８１  後壁
８２  右壁
８２ａ  ガイド
８３  左壁
８３ａ  ガイド
８４  軸受け穴
８５  前壁
８６  上壁
８８  軸受け孔
１０１  扉止め装置
１０２  装置本体
１１０  基枠
１１１  後壁
１１２  右壁
１１３  左壁
１１４  当接凸起
１１５  軸受け穴
１１６  軸受け孔
１１８  カバー
１１８ａ  凹部
１１８ｂ  下端縁
１１９  弾性部材
１２０  回動枠
１２０ａ  下端縁
１２０ｂ  下端縁
１２１  垂直壁
１２２  下部右側壁
１２２ａ  係合凸部
１２３  下部左側壁
１２３ａ  係合凸部
１２４  回動軸
１２６  案内ピン（案内軸）
１２７  後部
１２８  先端
１２９  軸受け凹部
１３０  案内溝
１３１  第１の係止部
１３２  第２の係止部
１３３  第１の案内溝
１３４  第２の案内溝
１４０  傾動枠
１４１  底壁
１４２  前壁
１４３  後壁
１４４  右壁
１４４ａ  支軸
１４４ｂ  ガイド軸（第1の係止部）
１４４ｃ  当接突起
１４４ｄ  係合凹部
１４５  左壁
１４５ａ  支軸
１４５ｂ  ガイド軸（第1の係止部）
１４５ｃ  当接突起
１４５ｄ  係合凹部
１４６  係合凸部
１４７  係止突起
１４８  傾斜縁
１５０  ガイド
１５１  主ガイド
１５２  傾斜ガイド
１５３  解除ガイド
２０１  扉止め装置
２０２  装置本体
２１０  基枠
２１１  後壁
２１２  右壁
２１３  左壁
２１４  当接凸起
２１８  カバー
２１８ｂ  ガイド突条
２１９  弾性部材
２２０  回動枠
２２２ｂ  係止縁（第1の係止部）
２２３ｂ  係止縁（第1の係止部）
２２４  回動軸
２２６  案内ピン
２２７  後部
２２８  先端
２３０  案内溝
２３１  第１の係止部
２３２  第２の係止部
２３３  第１の案内溝
２３４  第２の案内溝
２４０  保持枠
２４６  係合凸部
２４７  係止突起
【図１】
2012026172.tif 000003
【図２】
2012026172.tif 000004
【図３】
2012026172.tif 000005
【図４】
2012026172.tif 000006
【図５】
2012026172.tif 000007
【図６】
2012026172.tif 000008
【図７】
2012026172.tif 000009
【図８】
2012026172.tif 000010
【図９】
2012026172.tif 000011
【図１０】
2012026172.tif 000012
【図１１】
2012026172.tif 000013
【図１２】
2012026172.tif 000014
【図１３】
2012026172.tif 000015
【図１４】
2012026172.tif 000016
【図１５】
2012026172.tif 000017
【図１６】
2012026172.tif 000018
【図１７】
2012026172.tif 000019
【図１８】
2012026172.tif 000020
【図１９】
2012026172.tif 000021
【図２０】
2012026172.tif 000022
【図２１】
2012026172.tif 000023
【図２２】
2012026172.tif 000024
【図２３】
2012026172.tif 000025
【図２４】
2012026172.tif 000026
【図２５】
2012026172.tif 000027
【図２６】
2012026172.tif 000028
【図２７】
2012026172.tif 000029
【図２８】
2012026172.tif 000030
【図２９】
2012026172.tif 000031
【図３０】
2012026172.tif 000032
【図３１】
2012026172.tif 000033
【図３２】
2012026172.tif 000034